(57)【要約】【課題】キッチンカウンタ、食器棚、もしくは書類用収納棚など家具自体の外見上の形状も損なうことなく、収納を可能とした踏み台を提供することを目的とする。【解決手段】本発明の家具における踏み台９は、家具本体の上下の引き出し５、６間の空きスペースに踏み台収納部１０が設けられ、該踏み台収納部１０には、踏み板７と該踏み板７に対して折り畳み可能に取り付けられた脚部８とが出し入れ可能に収納され、かつ、踏み台９として利用する時は、該脚部８が起立し、前記踏み板７を略水平状態に保持できるようになっている。【選択図】　図４
2004121595.tif 000002
【特許請求の範囲】
【請求項１】
家具本体の上下の収納部の間の空きスペースに踏み台収納部が設けられ、該踏み台収納部には、踏み板と該踏み板に対して折り畳み可能に取り付けられた脚部とが出し入れ可能に収納され、かつ、踏み台としての利用時は、該脚部が起立し、前記踏み板を略水平状態に保持できるようになっていることを特徴とする家具における踏み台。
【請求項２】
踏み台収納部は、箱状または板状の隔板で構成され、少なくとも下の収納部の上方が前記隔板で仕切られている請求項１に記載の家具における踏み台。
【請求項３】
収納状態の踏み板の前面には、脚部を隠蔽するための遮蔽部兼用取手が設けられている請求項１に記載の家具における踏み台。
【請求項４】
収納状態の踏み板の前面には、脚部が踏み板に対して出し入れ可能に設けられると共に、この脚部の一部が踏み板を引き出すための取手になっている請求項１に記載の家具における踏み台。
【請求項５】
少なくとも踏み台としての利用時に、踏み板の後部が家具本体に支持された状態にあり、家具本体で踏み板にかかる荷重の一部を支持することができるようになっている請求項１ないし４の何れかに記載の家具における踏み台。
【請求項６】
脚部が略コ字状の弾力性のある材質で構成されており、踏み板に対して脚部を起立させた時、脚部の端部が踏み板に形成されたロック凹部に係合し該脚部の移動が制限されるようになっているロック機構を有している請求項１ないし５の何れかに記載の家具における踏み台。
【請求項７】
踏み板には脚部格納構部が形成され、脚部が踏み板の構部に格納され踏み板と共に踏み台収納部に収納できる請求項１ないし６の何れかに記載の家具における踏み台。
【請求項８】
踏み板の下面側に脚部を格納できる脚部格納構部が設けられている請求項７に記載の家具における踏み台。
【発明の詳細な説明】
【０００１】
【発明の属する技術分野】
本発明は、家具における踏み台に関する。
【０００２】
【従来の技術】
従来、台所等において、一般にキッチンカウンタの上方に調理器具等を収納する収納棚が設けられており、高い位置に設けられている収納棚から収納物を出し入れする場合に手が届かず、テーブルの椅子等を踏み台として使用しているが、その都度片付けたりしなければならず面倒であった。また、放置すると床面のスペースを占有して邪魔になり、台所仕事に支障をきたしていた。
【０００３】
そこでキッチンカウンタに予め設けられている最下段の収納部開口部に踏み台兼用の蓋板を設けることで、人が乗り降りできるようにし、収納部を踏み台として使用するものがあった（例えば、特許文献１参照）。
【０００４】
また、キャビネットに踏み台収納部が設けられ、この収納部から踏み台が出し入れ可能に収納されているものがあった（例えば、特許文献２参照）。
【０００５】
【特許文献１】
特開平１１−１０３９５１号公報（第１−３頁、第１図）
【特許文献２】
特開平９−１６４０３２号公報（第１−３頁、第２−４図）
【０００６】
【発明が解決しようとしている課題】
しかしながら、文献１にあっては、踏み台兼用の蓋板が設けられており、収納部内部の収納物を取り出すたびごとに、この蓋板を開けなければならず、踏み台として使用しない収納物の取り出しの際には、不便であった。
【０００７】
文献２の第２図に示されたものは、踏み台を収納する収納部が、略コ字状をしており、該踏み台収納部を製作するのが困難であり、かつ、その他の収納部の寸法他扉の寸法及び収納容積を制限しなければならず、そのため特別な設計寸法となり実用的ではなかった。特に、一部の収納部の形状が不揃いとなり、外見上、そのデザインが劣るものでもあった。
【０００８】
本発明は、このような問題点に着目してなされたもので、収納部本来の寸法に極力影響を与えず、かつキッチンカウンタ、食器棚、もしくは書類用収納棚など家具自体の外見上の形状も損なうことなく、収納を可能とした踏み台を提供することを目的とする。
【０００９】
【課題を解決するための手段】
上記の目的を解決するために、本発明の家具における踏み台は、家具本体の上下の収納部の間の空きスペースに踏み台収納部が設けられ、該踏み台収納部には、踏み板と該踏み板に対して折り畳み可能に取り付けられた脚部とが出し入れ可能に収納され、かつ、踏み台として利用する時は、該脚部が起立し、前記踏み板を略水平状態に保持できるようになっていることを特徴としている。
この特徴によれば、家具本体の上下の収納部の間の空きスペースに踏み台収納部が設けられ、該踏み台収納部より踏み板を引き出し、脚部を展開することにより踏み台として使用できるため、収納時には他の収納部の左右の寸法に影響を与えないため従来の収納部とほとんど差異がなく、また上下の収納部の間に踏み板が収納されるため、外見上一般の家具と変わるところも少ないものとなる。
【００１０】
本発明の家具における踏み台の踏み台収納部は、箱状または板状の隔板で構成され、少なくとも下の引き出しの上方が前記隔板で仕切られていることが好ましい。
このようにすれば、踏み板及び脚部に付着するゴミや埃などが隔板により下方の収納部内に落下せず、収納している調理器具等の収納物を汚すことなく保管することができる。また、踏み台の出し入れの際に他の収納部の収納物に踏み台が接触し破損してしまう恐れがないので、安全に収納物を保管することができる。
【００１１】
本発明の家具における踏み台は、収納状態の踏み板の前面に、脚部を隠蔽するための遮蔽部兼用取手が設けられていることが好ましい。
このようにすれば、取手が脚部を隠蔽する遮蔽部の役目を果たすことができるので、見栄えが良いばかりか取手を遮蔽部として兼用することができるので部品点数を省略できコストダウンが期待できる。
【００１２】
本発明の家具における踏み台は、収納状態の踏み板の前面に、脚部が踏み板に対して出し入れ可能に設けられると共に、この脚部の一部が踏み板を引き出すための取手になっていることが好ましい。
このようにすれば、脚部を取手として兼用できるので部品点数を省略できコストダウンが期待できる。
【００１３】
本発明の家具における踏み台は、少なくとも踏み台としての利用時に、踏み板の後部が家具本体に支持された状態にあり、家具本体で踏み板にかかる荷重の一部を支持することができるようになっていることが好ましい。
このようにすれば、踏み台使用時、踏み板の後方部が、家具本体で支えられているため、踏み板の前方のみを脚部で支持すれば足り、脚部としての部品点数を減らすことができる。
【００１４】
本発明の家具における踏み台は、脚部が略コ字状の弾力性のある材質で構成されており、踏み板に対して脚部を起立させた時、脚部の端部が踏み板に形成されたロック凹部に係合し該脚部の移動が制限されるようになっているロック機構を有していることが好ましい。
このようにすれば、踏み台としての使用時に脚部の動きを固定することができ、踏み台の安定性を向上させることができるようになっている。
【００１５】
本発明の家具における踏み台は、踏み板には脚部格納構部が形成され、脚部が踏み板の構部に格納され踏み板と共に踏み台収納部に収納できることが好ましい。
このようにすれば、踏み台の収納時に脚部が前面に露出することなく隠蔽することができるようになる。
【００１６】
本発明の家具における踏み台は、踏み板の下面側に脚部を格納できる脚部格納構部が設けられていることが好ましい。
このようにすれば、踏み台の利用時に踏み板の上側表面に脚部格納構部が無いので、踏み板の上側表面を広く足の載せ場として使用できるようになる。
【００１７】
【発明の実施形態】
以下、本発明の実施例を図面に基づいて説明すると、まず図１には本発明の実施例としてのキッチンカウンタに設けられた第１実施形態に係る踏み台を有するキッチンカウンタの側面図、図２は図１の踏み台収納部の部分拡大側面断面図、図３の（ａ）は踏み台が踏み台収納部に収納された状態を示し、（ｂ）は踏み台が利用可能に展開された状態を示す斜視図、図４は、本発明の使用例を示す側面図である。
【００１８】
図１〜図４により本発明の第１実施形態に係る踏み台を有するキッチンカウンタについて説明する。図１に示されるように、１はキッチンカウンタを示し、２はキッチンカウンタ１の上方に設けられた調理用具などを収納する収納棚を示す。キッチンカウンタ１は、天板３にシンク４、ガス台などを備えており、このキッチンカウンタ１の前面には、上下に引き出し５、６が収容されている。
【００１９】
上部の引き出し５はシンク４の手前側に引き出される構造であり、その引き出し５は、収納時にはシンク４の下部空間に位置しており、該引き出し５の下部には少なくとも踏み板７と脚部８とから成る踏み台９を収納できる踏み台収納部１０が設けられている。さらに下部に位置する引き出し６は、前記踏み台収納部１０の下部に配置されている。なおこの踏み台収納部１０は前方だけが開放した箱状であり、キッチンカウンタの側板もしくはフレームに固定されている。
【００２０】
図１に示すキッチンカウンタ１において、踏み台９は略水平状態を保持するように踏み台収納部１０に出し入れ可能に収納されている。該踏み板７は該踏み台収納部１０を前後にスライド移動することでキッチンカウンタ１内部から出し入れができるようになっている
【００２１】
図２に示すように、脚部８は踏み板７に、ヒンジ１１によって連結されており、踏み台として利用する際に脚部８は、ヒンジ１１を中心として円弧状に動いて略垂直状態にすることができる。
【００２２】
より詳しくは、図３（ｂ）に示すように、踏み台９は、少なくとも踏み板７と、該踏み板７の裏面に折り畳むことができる２本で一対を成す脚部８とから構成されている。脚部８は、略コ字状のバーから成り踏み板７の下側裏面の左右両側にヒンジ結合してある。
【００２３】
特に図２に示されるように、踏み台９を収納する踏み台収納部１０は、箱状になっているが、この収納部１０は箱状に限らず１枚の隔板１２のみで構成されてもよい。これは少なくともキッチンカウンタ１内部の下の引き出しの空間と踏み台収納部１０とを隔離することにより、踏み板７及び脚部８に付着するゴミや埃などを下部の収納箱１３に撒き散らすことを防止し、収納している調理器具等の収納物を汚すことがないようにするためである。また、この隔板１２により踏み板７の出し入れの際に収納箱１３の収納物に踏み板７が接触し破損してしまう恐れがなく、安全に収納物を保管することができる。
【００２４】
さらに図２の取手１４は、板を円弧状に湾曲させて収納状態の踏み板７の前面を覆うように構成されており、脚部８を隠蔽して収納することができるようになっており踏み踏み板７を引き出す際には、取手１４の下部の隙間１５より手を入れて取手１４を掴んで引き出すことで、踏み台収納部１０から踏み板７を引き出すことができる。また、踏み板７は、その後方部にストッパー凸部１６が設けられ、踏み台収納部１０の開口部に設けられた係止片１７と連携して踏み台収納部１０から抜け出しが防止されるようになっている。
【００２５】
図３の（ａ）には、踏み台９がキッチンカウンタ１に収納されている状態が示され、踏み板７が略水平状態で収納されており、（ｂ）に示すように踏み板７が引き出された際にも略水平状態を保ちながら引き出される。その後脚部８を手動にて展開し略垂直状態にし起立させ床面に支持されるようにすることで踏み板７にかかる荷重を支えられるようになり踏み台９として利用できるようになる。
【００２６】
前記したように踏み板７の一辺は、ストッパー凸部１６と係止片１７とで常時キッチンカウンタ１本体から離れることなく踏み台収納部１０の開口部１８周辺の底面で踏み板７にかかる荷重の一部を支持することができるようになっている。そのため、キチンカウンタ１の本体が脚として働き、人が載った際においても、踏み板７にかかる大きな荷重の半分はキッチンカウンタ１の本体で支えられ、脚部８にかかる負担を半減できる。
【００２７】
図３（ｂ）に示すように、踏み板７内に収納されている脚部８は、収納時にはロック機構１９により不用意に展開しないように係止されている。また該脚部８が起立した際には、ロック機構２０が展開状態を維持している。
【００２８】
踏み台９の脚部８下端となる部分には、床面に接するように設けられた滑り止め用ゴム２１が設けられており、ロック機構２０と共に踏み台９の使用時に該踏み台９の安定性を向上させることができるようになっている。
【００２９】
このように図１に示すように、踏み台収納部１０は、上下の引き出し５、６の間に有する空間に設けられており踏み台９の不使用時、この踏み台９は、脚部８を踏み板７内に折り畳んで踏み台収納部１０に収納されており、また、キッチンカウンタ１の上方に設けられた収納棚２にある調理器具等の収納物を使用者２２が取り出したり収納したりする際には、図４に示すように踏み板７の前面に取り付けられたの取手１４を掴み略水平状態で踏み板７を手前に引き出して脚部８を略垂直状態に展開するだけで踏み台９を容易に準備することができる。
【００３０】
次に、第２実施形態に係る踏み台を有するキッチンカウンタにつき、図５〜６を参照して説明する。なお、上記実施形態と同一構成で重複する説明を省略する。
【００３１】
図５は第２実施形態に係る踏み台を有するキチンカウンタの斜視図を示しており、この踏み台２３は、踏み板２４と踏み板２４を引き出す時の取手としても使用できる取手兼用の脚部２５を有している。該脚部２５は、略コ字状をしている１本のバーで構成されており、踏み台２３の収納時には、略水平状態にし踏み板２４内部に設けられた脚部収納孔部２６にその横架部２５’を残して収納される。脚部収納孔部２６は、踏み板２４内に前側から後側に延びる孔であり、その内部を脚部２５は前後にスライド移動できるようになっている。
【００３２】
図５に示すように、この脚部２５は、踏み板２４内から略水平状態を保ちながら引き出され、その後略垂直状態にし床面に支持するようにすることで踏み板２４の前側を支えることが出来るようになり、踏み台２３として利用可能になる。踏み板２４にかかる荷重の一部は、踏み台収納部の開口部周辺の底面でも支えることができるので脚部としての部品点数を減らすことができるようになり人が載った際にも踏み台２３にかかる大きな荷重を十分に支えることができるようになる。
【００３３】
より詳しく説明すると、図６の（ａ）は踏み板２４から脚部２５が引き出された状態を示す上面図であり、略コ字状の脚部２５の両後端部は、互いに外側に折曲され、突出端部２７を構成している。また、脚部２５は、弾力性のある材質で出来ており、該脚部２５の両側のバーは、収納時には、脚部収納孔部２６内で若干内側に傾くようになって収納されている。
【００３４】
図６の（ｂ）は、脚部収納孔部２６の開口部付近を示しており、脚部収納孔部２６の開口部付近の側面には、脚部２５の突出端部２７と係合するように設けられた円形の穴であるロック凹部２８が設けられており、また、ロック凹部２８の下側には、脚部２５の端部２９が嵌まるロック構部３０が設けられている。さらに脚部収納孔部２６内のロック凹部２８に相対する側面にはバネ板３１が設けられている。
【００３５】
このような構造の本実施例にあっては、図６（ａ）に示すように、脚部２５の横架部２５’を掴んで、略水平状態で踏み板２４内から引き出すことができる。脚部２５は弾力性のある材質で構成されており、踏み板２４内から引き出された際に脚部２５の外側に折曲した突出端部２７が踏み板２４内のロック凹部２８に係合する。その後脚部２５を略垂直状態に起立させ（ｂ）に示すように脚部２５の端部２９がロック溝部３０に嵌まりロックされる。さらにバネ板３１が脚部２５の端部２９を適宜押圧力で付勢するので脚部２５の動きを固定することができ、踏み台２３の使用時に該踏み台２３の安定性を向上させることができるようになっている。
【００３６】
次に、第３実施形態に係る踏み台を有するキッチンカウンタにつき、図７〜８を参照して説明する。なお、上記実施形態と同一構成で重複する説明を省略する。
【００３７】
図７は第３実施形態に係る踏み台を有するキッチンカウンタの斜視図を示しており、踏み台３２は、踏み板３３と略コ字状の弾力性のあるバー状の脚部３４で構成されており、脚部３４は、踏み板３３の前側にヒンジ結合している。また、踏み板３３の上側表面には脚部３４を格納できる略コ字状の溝である脚部格納構部３５が設けられており、踏み板３３の前側には、該踏み板３３を引き出すための取手３６が取り付けられている。
【００３８】
踏み台３２を使用する際には、取手３６を掴み手前に引くことで踏み板３３がスライド移動し引き出され、その後、脚部３４を掴み脚部格納構部３５より円弧状に揺動運動をしながら取り出し略垂直状態にして床面に支持するようにする。また、踏み台３２の収納時には、脚部格納構部３５に脚部３４が格納され、踏み板３３と共に踏み台収納部３７に収納される。
【００３９】
図８は踏み板３３と脚部３４との間のロック機構を示す部分拡大斜視図であり、脚部３４の端部３８は踏み板３３の前側にヒンジ３９によって連結されている。脚部格納構部３５の前側付近の側面には、脚部３４を略垂直状態にした際に該脚部３４の端部３８が嵌まるために設けられたロック構部４０があり、脚部格納構部３５内のロック構部４０に相対する側面にはバネ板４１が設けられている。
【００４０】
脚部３４は弾力性のある材質で構成されており、略垂直状態にされた際に脚部３４の端部３８がロック溝部４０に嵌まりロックされる。さらにバネ板４１が脚部３４の端部３８を適宜押圧力で付勢するので脚部３４の動きを固定することができ、踏み台３２の使用時に該踏み台３２の安定性を向上させることができるようになっている。
【００４１】
次に、第４実施形態に係る踏み台を有するキッチンカウンタにつき、図９を参照して説明する。なお、上記実施形態と同一構成で重複する説明を省略する。
【００４２】
図９は第４実施形態に係る踏み台を有するキチンカウンタの斜視図を示しており、この踏み台４２は、踏み板４３と該踏み板４３の裏面に格納される脚部４４及び踏み板４３を引き出す取手４５によって構成されている。
【００４３】
脚部４４は、四角形のバー状の２つの部材を互いに交差するようにヒンジ４６で連結され、開いたり畳んだり出来るようになっており、踏み板４３の前側の下面裏側に設けられた係止具４７に該脚部４４の一辺が回転可能に固定されている。該脚部４４を展開する際には、脚部４４の一辺を踏み板４３の下側裏面にあるロック機構４８に係止させて固定することで床面に支持され、踏み板４３にかかる荷重をささえることができるようになる。収納する際には、踏み板４３の下側裏面にあるロック機構４９に畳んだ脚部４４を係止させ、不用意に脚部４４が展開しないようにする。
【００４４】
踏み台４２を展開する際には、取手４５を掴み手前に引き出すことで踏み板４３が踏み台収納部５０より引き出され、その後ロック機構４９から脚部４４を外し、脚部４４の一辺をロック機構４８に係止させることで固定され、床面に支持し、踏み板４３にかかる荷重をささえることができるようになる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
【発明の効果】
本発明は以下の効果を奏する。
【００４７】
（ａ）請求項１に記載の発明によれば、家具本体の収納部の間の空きスペースに踏み台収納部が設けられ、該踏み台収納部より踏み板を引き出し、脚部を展開することにより踏み台として使用できるため、踏み台の収納時には他の収納部の左右の寸法に影響を与えないため従来の収納部とほとんど差異がなく、また上下の収納部の間に踏み板が収納されるため、外見上一般の家具と変わるところも少ないものとなる。
【００４８】
（ｂ）請求項２に記載の発明によれば、箱状または板状の隔板で構成され、少なくとも下の収納部の上方が前記隔板で仕切られているため、踏み板及び脚部に付着するゴミや埃などが隔板により下方の収納部内に落下せず、収納している調理器具等の収納物を汚すことなく保管することができる。また、踏み台の出し入れの際に他の収納部の収納物に踏み台が接触し破損してしまう恐れがないので、安全に収納物を保管することができる。
【００４９】
（ｃ）請求項３に記載の発明によれば、収納状態の踏み板の前面に、脚部を隠蔽するための遮蔽部兼用取手が設けられているため、取手が脚部を隠蔽する遮蔽部の役目を果たすことができるので、見栄えが良いばかりか取手を遮蔽部として兼用することができるので部品点数を省略できコストダウンが期待できる。
【００５０】
（ｄ）請求項４に記載の発明によれば、脚部の一部が踏み板を引き出すための取手になっているため、脚部を取手として兼用できるので部品点数を省略できコストダウンが期待できる。
【００５１】
（ｅ）請求項５に記載の発明によれば、少なくとも踏み台としての利用時に、踏み板の後部が家具本体に支持された状態にあり、家具本体で踏み板にかかる荷重の一部を支持することができるようになっているため、踏み台使用時、踏み板の後方部が、家具本体で支えられているため、踏み板の前方のみを脚部で支持すれば足り、脚部としての部品点数を減らすことができる。
【００５２】
（ｆ）請求項６に記載の発明によれば、脚部が略コ字状の弾力性のある材質で構成されており、踏み板に対して脚部を起立させた時、脚部の端部が踏み板に形成されたロック凹部に係合し該脚部の移動が制限されるようになっているため、踏み台としての使用時に脚部の動きを固定することができ、踏み台の安定性を向上させることができるようになる。
【００５３】
（ｇ）請求項７に記載の発明によれば、踏み板には脚部格納構部が形成され、脚部が踏み板の構部に格納され踏み板と共に踏み台収納部に収納できるため、踏み台の収納時に脚部が前面に露出することなく隠蔽することができるようになる。
【００５４】
（ｈ）請求項８に記載の発明によれば、踏み板の下面側に脚部を格納できる脚部格納構部が設けられているため、踏み台の利用時に踏み板の上側表面に脚部格納構部が無いので、踏み板の上側表面を広く足の載せ場として使用できるようになる。
【図面の簡単な説明】
【図１】キッチンカウンタに設けられた第１実施形態に係る踏み台の側面図である。
【図２】踏み台収納部の部分拡大側面断面図である。
【図３】（ａ）は踏み台がキッチンカウンタに収納された状態を示し、（ｂ）は踏み台が利用可能に引き出された状態を示すキッチンカウンタの斜視図である。
【図４】本発明の使用例を示す側面図である。
【図５】第２実施形態に係る踏み台を有するキッチンカウンタを示す斜視図である。
【図６】（ａ）は踏み台から脚部が引出された状態を示す上面図を示し、（ｂ）は踏み板と脚部との間のロック機構を示す部分拡大斜視図である。
【図７】第３実施形態に係る踏み台を有するキッチンカウンタを示す斜視図である。
【図８】踏み板と脚部との間のロック機構を示す部分拡大斜視図である。
【図９】第４実施形態に係る踏み台を有するキッチンカウンタを示す斜視図である。
【符号の説明】
１　　　　　　　　　　キッチンカウンタ
２　　　　　　　　　　収納棚
３　　　　　　　　　　天板
４　　　　　　　　　　シンク
５、６　　　　　　　　　引き出し
７、２４、３３、４３　踏み板
８、２５、３４、４４　脚部
９、２３、３２、４２　踏み台
１０、３７、５０　　　踏み台収納部
１１、３９、４６　　　ヒンジ
１２　　　　　　　　　隔板
１３　　　　　　　　　収納箱
１４、３６、４５　　　取手
１５　　　　　　　　　隙間
１６　　　　　　　　　ストッパー凸部
１７　　　　　　　　　係止片
１８　　　　　　　　　開口部
１９、２０　　　　　　ロック機構
４８、４９　　　　　　ロック機構
２１　　　　　　　　　滑り止め用ゴム
２２　　　　　　　　　使用者
２５’　　　　　　　　横架部
２６　　　　　　　　　脚部収納孔部
２７　　　　　　　　　突出端部
２８　　　　　　　　　ロック凹部
２９、３８　　　　　　端部
３０、４０　　　　　　ロック構部
３１、４１　　　　　　バネ板
３５　　　　　　　　　脚部格納構部
４７　　　　　　　　　係止具
【図１】
2004121595.tif 000003
【図２】
2004121595.tif 000004
【図３】
2004121595.tif 000005
【図４】
2004121595.tif 000006
【図５】
2004121595.tif 000007
【図６】
2004121595.tif 000008
【図７】
2004121595.tif 000009
【図８】
2004121595.tif 000010
【図９】
2004121595.tif 000011